【手続補正書】
【提出日】平成22年4月9日(2010.4.9)
【手続補正１】
【補正対象書類名】特許請求の範囲
【補正対象項目名】全文
【補正方法】変更
【補正の内容】
【特許請求の範囲】
【請求項１】
二以上のビデオ信号から、メモリアクセスの要求を受信する入力と、
受信された前記要求のそれぞれに対応するデータを、共有されたフィールドラインバッファに記憶し、それぞれの要求の必要帯域幅を決定し、それぞれの要求の前記必要帯域幅に基づきメモリアクセスを配分する回路と、
を備え、
前記メモリアクセスが、前記共有されたフィールドラインバッファを介して開始される、
ブランクタイムオプティマイザ。
【請求項２】
前記要求のそれぞれは、データアクセスクロックレートを有し、
前記メモリアクセスは、前記要求の前記データアクセスクロックレートとは異なるクロックレートで行われる、
請求項１に記載のオプティマイザ。
【請求項３】
受信された前記要求のそれぞれに対応するデータは、該要求の前記データアクセスクロックレートで、前記共有されたフィールドラインバッファに記憶される、
請求項２に記載のオプティマイザ。
【請求項４】
前記回路は、さらに、前記共有されたフィールドラインバッファを用いて前記二以上のビデオ信号をオーバレイする、
請求項３に記載のオプティマイザ。
【請求項５】
前記必要帯域幅は、対応する要求の前記データアクセスクロックレートに基づいて決定される、
請求項３または請求項４に記載のオプティマイザ。
【請求項６】
前記対応する要求は、前記共有されたフィールドラインバッファから読み出され、前記対応する要求の前記データアクセスクロックレートとは異なるクロックレートで前記メモリに供給される、
請求項５に記載のオプティマイザ。
【請求項７】
前記回路は、さらに、前記要求の各々が前記メモリに直接アクセスすることを妨げる、
請求項１から請求項６までの何れか一項に記載のオプティマイザ。
【請求項８】
各要求は、フィールドラインの時間間隔部分に対応する、
請求項１から請求項７までの何れか一項に記載のオプティマイザ。
【請求項９】
前記回路はさらに、前記要求のうちの一つに関連付けられたメモリ操作を、前記要求されたメモリ操作に対応する時間間隔部分より大きい時間間隔部分で行うことにより、メモリアクセス帯域幅を配分する、
請求項８に記載のオプティマイザ。
【請求項１０】
二以上のビデオ信号間でメモリアクセスを共有させる方法であって、
前記二以上のビデオ信号の各々からメモリアクセスの要求を受信する段階と、
受信された前記要求のそれぞれに対応するデータを、共有されたフィールドラインバッファに記憶する段階と、
前記受信された要求のそれぞれの必要帯域幅を決定する段階と、
前記受信された要求のそれぞれの前記必要帯域幅に基づいて前記メモリアクセスを配分する段階と、
を備え、
前記メモリアクセスが、前記共有されたフィールドラインバッファを介して開始される、
方法。
【請求項１１】
前記要求のそれぞれは、データアクセスクロックレートを有し、
前記メモリアクセスは、前記要求の前記データアクセスクロックレートとは異なるクロックレートで行われる、
請求項１０に記載の方法。
【請求項１２】
前記受信された要求のそれぞれに対応するデータを、該要求の前記データアクセスクロックレートで、前記共有されたフィールドラインバッファに記憶する段階をさらに備える、
請求項１１に記載の方法。
【請求項１３】
前記共有されたフィールドラインバッファを用いて前記二以上のビデオ信号をオーバレイする段階をさらに備える、
請求項１２に記載の方法。
【請求項１４】
前記必要帯域幅は、前記要求の前記データアクセスクロックレートに基づいて決定される、
請求項１２または請求項１３に記載の方法。
【請求項１５】
前記共有されたフィールドラインバッファから要求を読み出し、読み出された前記要求を前記メモリに、前記読み出された要求の前記データアクセスクロックレートとは異なるクロックレートで供給する段階をさらに備える、
請求項１４に記載の方法。
【請求項１６】
各要求が直接メモリアクセスすることを妨げる段階をさらに備える、
請求項１０から請求項１５までの何れか一項に記載の方法。
【請求項１７】
各要求は、フィールドラインの時間間隔部分に対応する、
請求項１０から請求項１６までの何れか一項に記載の方法。
【請求項１８】
前記要求のうちの一つに関連付けられたメモリ操作を、要求された前記メモリ操作に対応する時間間隔部分より大きい時間間隔部分で行うことにより、前記メモリアクセスを配分する段階をさらに備える、
請求項１７に記載の方法。
【手続補正２】
【補正対象書類名】明細書
【補正対象項目名】００６５
【補正方法】変更
【補正の内容】
【００６５】
図７、８、および９は、デコーダ４２２を利用してビデオ信号４２６または４２８（図４）を生成する動作の三つの例示的モードを図示する。これら三つの動作モードは、例えば、コンポジットビデオ信号、ｓ−ｖｉｄｅｏ、およびコンポーネントビデオ信号を提供しうる。
【手続補正３】
【補正対象書類名】明細書
【補正対象項目名】０１１６
【補正方法】変更
【補正の内容】
【０１１６】
二つの別個のスケーラ配置モジュール１６６０において二つの独立したスケーラがありうるので、第１および第２のチャネルについては、これらのスケーラ配置モジュール１６６０の両方にメモリアクセス要件がある場合、それらのいずれかが高い帯域幅を要求し、他方は低い帯域幅メモリアクセスを要求しうる。ブランクタイムオプティマイザ（ＢＴＯ）マルチプレクサ１６５０は、メモリ帯域幅を減らし、任意の数のチャネルに記憶フィールドラインを共有させるべく、一以上の記憶バッファ（一以上のフィールドラインを記憶するのに十分な大きさを持つ）を提供して、これによりメモリ記憶要件を減らしうる。
【手続補正４】
【補正対象書類名】明細書
【補正対象項目名】０１４７
【補正方法】変更
【補正の内容】
【０１４７】
故に、共有記憶容量を利用して多数の高品質なビデオチャネルストリームを提供する装置および方法が提供される。当業者であれば、本発明が記載された実施形態以外の方法で実施することができることを理解するであろう、というのも実施形態は限定目的からではなく、例示目的で提示されており、本発明は以下の請求項のみにより限定されるからである。
なお、本願明細書には、以下の項目１から項目７２が記載されている。
（項目１）
複数のビデオ信号を受信して、上記複数のビデオ信号のうち第１のビデオ信号を選択する、選択回路と、
選択された上記第１のビデオ信号の信号経路中の少なくとも二つのスケーラスロットのうちの一つに第１のスケーラを配置する第１のスケーラ配置モジュールと、を備える、フレームレート変換回路。
（項目２）
上記第１のスケーラは、上記選択された第１のビデオ信号をスケーリングし、スケーリングされた上記第１のビデオ信号を、メモリインタフェースを介してメモリへ書き込む、項目１に記載のフレームレート変換回路。
（項目３）
さらにセレクタを備え、
上記第１のスケーラが、上記選択された第１のビデオ信号を上記セレクタの第１の入力へ出力する、項目２に記載のフレームレート変換回路。
（項目４）
上記第１のスケーラ配置モジュールは、上記選択された第１のビデオ信号の上記信号経路に第２のスケーラを配置し、
上記第２のスケーラは、上記スケーリングされた第１のビデオ信号を、上記メモリインタフェースを介して上記メモリから読み出し、読み出された上記第１のビデオ信号をさらにスケーリングし、さらにスケーリングされた上記第１のビデオ信号を上記セレクタの第２の入力へ供給する、項目３に記載のフレームレート変換回路。
（項目５）
さらに、上記セレクタの上記第１の入力および上記第２の入力のいずれかを出力する、項目４に記載のフレームレート変換回路。
（項目６）
上記第２のスケーラは、上記読み出された第１のビデオ信号を出力する、項目４に記載のフレームレート変換回路。
（項目７）
上記第１のスケーラ配置モジュールは、上記選択された第１のビデオ信号の上記信号経路に、テアレス制御モジュールを配置する、項目２に記載のフレームレート変換回路。
（項目８）
上記複数のビデオ信号から選択された第２のビデオ信号を受信し、上記選択された第２のビデオ信号をスケーリングし、スケーリングされた上記第２のビデオ信号を出力するスケーリング回路をさらに備える、項目１に記載のフレームレート変換回路。
（項目９）
上記第１のスケーラ配置モジュールは、ブランクタイムオプティマイザに、選択されスケーリングされた第１のビデオ信号を出力する、項目１に記載のフレームレート変換回路。
（項目１０）
三つのスケーラ配置スロットと、
一つのスケーラと、を備えるスケーラ配置モジュールであって、
上記スケーラを第１のスケーラ配置スロットに配置して、入力ビデオ信号を同期してスケーリングすることと、
上記スケーラを第２のスケーラ配置スロットに配置して、上記入力ビデオ信号をダウンスケーリングして、ダウンスケーリングされた上記ビデオ信号をメモリに書き込むことと、
上記スケーラを第３のスケーラ配置スロットに配置して、上記メモリから読み出されたビデオ信号をアップスケーリングすることと、を選択的に行う、スケーラ配置モジュール。
（項目１１）
上記第１のスケーラ配置スロット内の上記スケーラは、上記入力ビデオ信号を出力ビデオ信号にロックする、項目１０に記載のスケーラ配置モジュール。
（項目１２）
上記スロットのうち少なくとも一つの中にある上記スケーラによりスケーリングされたデータを受信して上記スケーリングされたデータを上記スケーラ配置モジュールから出力する選択回路をさらに備える、項目１０に記載のスケーラ配置モジュール。
（項目１３）
上記選択回路は、上記スケーラから受信した上記スケーリングされたデータを選択的に出力する、項目１２に記載のスケーラ配置モジュール。
（項目１４）
書き込みＦＩＦＯバッファおよび読み出しＦＩＦＯバッファをさらに備え、
上記スロットのうち第１のスロットの中にある上記スケーラは、上記書き込みＦＩＦＯバッファを介して上記メモリへ上記スケーリングされたデータを書き込み、上記スロットのうち第２のスロットの中にある上記スケーラは、上記読み出しＦＩＦＯバッファを介して上記メモリから上記スケーリングされたデータを読み出す、項目１２に記載のスケーラ配置モジュール。
（項目１５）
上記選択回路は、上記読み出しＦＩＦＯバッファから読み出された上記スケーリングされたデータを受信し、上記スケーラ配置モジュール出力から読み出された上記スケーリングされたデータを出力する、項目１４に記載のスケーラ配置モジュール。
（項目１６）
二以上のビデオ信号から、メモリアクセス要求を受信する入力と、
各要求の必要帯域幅を決定し、各ビデオ信号要求の上記必要帯域幅に基づきメモリアクセスを配分する回路と、を備えるブランクタイムオプティマイザ。
（項目１７）
各要求は、メモリアクセスクロックレートを有し、
上記メモリアクセスは、上記要求の上記メモリアクセスクロックレートとは異なるクロックレートで行われる、項目１６に記載のオプティマイザ。
（項目１８）
受信された上記要求の各々に対応するデータは、該要求のメモリアクセスクロックレートで、フィールドラインバッファに記憶される、項目１７に記載のオプティマイザ。
（項目１９）
上記フィールドラインバッファは、上記メモリアクセス要求の各々により共有される、項目１８に記載のオプティマイザ。
（項目２０）
上記必要帯域幅は、対応する要求のクロックレートに基づいて決定される、項目１８に記載のオプティマイザ。
（項目２１）
上記対応する要求は、上記フィールドラインバッファから読み出され、上記対応する要求の上記クロックレートとは異なるクロックレートで上記メモリに供給される、項目２０に記載のオプティマイザ。
（項目２２）
上記回路は、さらに上記アクセス要求の各々が直接上記メモリにアクセスすることを妨げる、項目１６に記載のオプティマイザ。
（項目２３）
各要求は、フィールドラインの時間間隔部分に対応する、項目１６に記載のオプティマイザ。
（項目２４）
上記回路はさらに、上記ビデオ信号要求のうちの一つに関連付けられたメモリ操作を、上記要求されたメモリ操作に対応する時間間隔部分より大きい時間間隔部分で行うことにより、上記メモリアクセス帯域幅を配分する、項目２３に記載のオプティマイザ。
（項目２５）
フレームレートを変換する方法であって、
複数のビデオ信号を受信することと、
上記複数のビデオ信号のうち第１のビデオ信号を選択することと、
選択された上記第１のビデオ信号の信号経路中の少なくとも二つのスケーラスロットのうちの一つに第１のスケーラを配置することと、
選択された上記第１のビデオ信号をスケーリングすることと、を備える、方法。
（項目２６）
スケーリングされた上記第１のビデオ信号を、メモリインタフェースを介してメモリへ書き込むことをさらに備える、項目２５に記載の方法。
（項目２７）
上記スケーリングされた第１のビデオ信号を、セレクタの第１の入力へ供給することをさらに備える、項目２６に記載の方法。
（項目２８）
選択された上記第１のビデオ信号の上記信号経路に、第２のスケーラを配置することと、
上記スケーリングされた第１のビデオ信号を、上記メモリインタフェースを介して上記メモリから読み出すことと、
読み出された上記第１のビデオ信号をさらにスケーリングすることと、
さらにスケーリングされた上記第１のビデオ信号を上記セレクタの第２の入力へ供給することと、をさらに備える項目２７に記載の方法。
（項目２９）
上記セレクタの上記第１の入力および上記第２の入力のいずれかを出力することをさらに備える、項目２８に記載の方法。
（項目３０）
上記読み出された第１のビデオ信号を出力することをさらに備える、項目２８に記載の方法。
（項目３１）
上記選択された第１のビデオ信号の上記信号経路に、テアレス制御モジュールを配置することをさらに備える、項目２６に記載の方法。
（項目３２）
上記複数のビデオ信号から第２のビデオ信号を選択し、選択された上記第２のビデオ信号をスケーリングし、スケーリングされた上記第２のビデオ信号を出力することをさらに備える、項目２５に記載の方法。
（項目３３）
上記選択されスケーリングされた第１のビデオ信号をブランクタイムオプティマイザに出力する、項目２５に記載の方法。
（項目３４）
スケーラ配置モジュール内の三つのスケーラ配置スロットのうちの一つにスケーラを選択的に配置する方法であって、
入力ビデオ信号を同期してスケーリングすべく、上記スケーラを第１のスケーラ配置スロットに選択的に配置することと、
上記スケーラを第２のスケーラ配置スロットに選択的に配置して、上記入力ビデオ信号をダウンスケーリングして、ダウンスケーリングされた上記ビデオ信号をメモリに書き込むことと、
上記スケーラを第３のスケーラ配置スロットに選択的に配置して、上記メモリから読み出されたビデオ信号をアップスケーリングすることと、を備える、方法。
（項目３５）
上記スケーラを第１のスケーラ配置スロットに選択的に配置することにより、上記出力ビデオ信号を入力ビデオ信号にロックする、項目３４に記載の方法。
（項目３６）
上記スケーラ配置モジュールから、上記第１のスケーラ配置スロットに配置されている第１のスケーラによりスケーリングされたデータと、上記第２のスケーラ配置スロットに配置されている第２のスケーラによりスケーリングされたデータとを、出力として選択的に出力することをさらに備える、項目３４に記載の方法。
（項目３７）
上記第１のスケーラが供給した上記スケーリングされたデータを選択し、上記第２のスケーラが供給した上記スケーリングされたデータを選択することをさらに備える、項目３６に記載の方法。
（項目３８）
上記第１のスケーラが供給した上記スケーリングされたデータを上記メモリへの書き込み用にバッファリングし、上記第２のスケーラが供給した上記スケーリングされたデータを上記メモリからの読み出し用にバッファリングすることをさらに備える、項目３６に記載の方法。
（項目３９）
上記選択することは、バッファリングされた上記スケーリングされたデータを、上記出力として上記スケーラ配置モジュールから選択することをさらに含む、項目３８に記載の方法。
（項目４０）
二以上のビデオ信号間でメモリアクセスを共有させる方法であって、
上記二以上のビデオ信号の各々からメモリアクセス要求を受信することと、
上記要求に応じて、上記ビデオ信号が各々有する必要帯域幅を決定することと、
上記ビデオ信号が各々有する上記必要帯域幅に基づいて上記メモリアクセスを配分することと、を備える方法。
（項目４１）
各要求はクロックレートを有し、
上記メモリアクセスは、上記要求の上記クロックレートとは異なるクロックレートで行われる、項目４０に記載の方法。
（項目４２）
上記受信された要求の各々に対応するデータを、該要求のクロックレートでフィールドラインバッファに記憶することをさらに備える、項目４１に記載の方法。
（項目４３）
上記フィールドラインバッファを上記要求の各々により共有させることをさらに備える、項目４２に記載の方法。
（項目４４）
上記必要帯域幅は、上記要求のクロックレートに基づいて決定される、項目４２に記載の方法。
（項目４５）
上記フィールドラインバッファから要求を読み出し、読み出した上記要求を上記メモリに、上記読み出した要求のクロックレートとは異なるクロックレートで供給することをさらに備える、項目４４に記載の方法。
（項目４６）
各要求が直接メモリアクセスすることを妨げることをさらに備える、項目４０に記載の方法。
（項目４７）
各要求は、フィールドラインの時間間隔部分に対応する、項目４０に記載の方法。
（項目４８）
上記ビデオ信号要求のうちの一つに関連付けられたメモリ操作を、要求された上記メモリ操作に対応する時間間隔部分より大きい時間間隔部分で行うことにより、上記メモリアクセスを配分することをさらに備える、項目４７に記載の方法。
（項目４９）
フレームレート変換を行う装置であって、
複数のビデオ信号を受信する手段と、
上記複数のビデオ信号のうち第１のビデオ信号を選択する手段と、
選択された上記第１のビデオ信号の信号経路中の少なくとも二つのスケーラスロットのうちの一つに第１のスケーラ手段を配置する手段と、
選択された上記第１のビデオ信号をスケーリングする手段と、を備える、装置。
（項目５０）
スケーリングされた上記第１のビデオ信号を、メモリインタフェース手段を介してメモリ手段へ書き込む手段をさらに備える、項目４９に記載の装置。
（項目５１）
上記スケーリングされた第１のビデオ信号を、セレクタ手段の第１の入力へ供給する手段をさらに備える、項目５０に記載の装置。
（項目５２）
選択された上記第１のビデオ信号の上記信号経路に、第２のスケーラ手段を配置する手段と、
上記スケーリングされた第１のビデオ信号を、メモリインタフェース手段を介して上記メモリ手段から読み出す手段と、
読み出された上記第１のビデオ信号をさらにスケーリングする手段と、
さらにスケーリングされた上記第１のビデオ信号を上記セレクタ手段の第２の入力へ供給する手段と、をさらに備える、項目５１に記載の装置。
（項目５３）
上記セレクタ手段の上記第１の入力および上記第２の入力のいずれかを出力する手段をさらに備える、項目５２に記載の装置。
（項目５４）
上記読み出された上記第１のビデオ信号を出力する手段をさらに備える、項目５２に記載の装置。
（項目５５）
上記選択された第１のビデオ信号の上記信号経路に、テアレス制御モジュール手段を配置する手段をさらに備える、項目５０に記載の装置。
（項目５６）
上記複数のビデオ信号から第２のビデオ信号を選択する手段と、
選択された上記第２のビデオ信号をスケーリングする手段と、
スケーリングされた上記第２のビデオ信号を出力する手段と、をさらに備える、項目４９に記載の装置。
（項目５７）
上記選択されスケーリングされた上記第１のビデオ信号をブランクタイムオプティマイザに供給する手段をさらに備える、項目４９に記載の装置。
（項目５８）
スケーラ配置モジュール手段内の三つのスケーラ配置スロット手段のうちの一つにスケーラ手段を選択的に配置する装置であって、
入力ビデオ信号を同期してスケーリングすべく、上記スケーラ手段を第１のスケーラ配置スロットに選択的に配置する手段と、
上記スケーラ手段を第２のスケーラ配置スロットに選択的に配置して、上記入力ビデオ信号をダウンスケーリングして、ダウンスケーリングされた上記ビデオ信号をメモリ手段に書き込む手段と、
上記スケーラ手段を第３のスケーラ配置スロットに選択的に配置して、上記メモリ手段から読み出されたビデオ信号をアップスケーリングする手段と、を備える、装置。
（項目５９）
上記第１のスケーラ配置スロットで出力ビデオ信号に上記入力ビデオ信号をロックする手段をさらに備える、項目５８に記載の装置。
（項目６０）
上記スケーラ配置モジュール手段から、上記第１のスケーラスロットに配置されている第１のスケーラによりスケーリングされたデータと、上記第２のスケーラスロットに配置されている第２のスケーラによりスケーリングされたデータとを、出力として選択的に出力する手段をさらに備える、項目５８に記載の装置。
（項目６１）
上記第１のスケーラが供給した上記スケーリングされたデータを選択し、上記第２のスケーラが供給した上記スケーリングされたデータを選択する手段をさらに備える、項目６０に記載の装置。
（項目６２）
スケーリングされたデータを上記メモリ手段への書き込み用にバッファリングする手段と、上記メモリ手段から読み出されたデータをバッファリングする手段とをさらに備える、項目６０に記載の装置。
（項目６３）
上記選択する手段は、バッファリングされた上記スケーリングされたデータを、上記出力として上記スケーラ配置モジュール手段から選択する手段をさらに含む、項目６２に記載の装置。
（項目６４）
二以上のビデオ信号間でメモリ手段へのアクセスを共有させる装置であって、
上記二以上のビデオ信号の各々から上記メモリ手段へのアクセス要求を受信する手段と、
上記要求に応じて、上記ビデオ信号が各々有する必要帯域幅を決定する手段と、
上記ビデオ信号が各々有する上記必要帯域幅に基づいて上記メモリ手段へのアクセスを配分する手段と、を備える装置。
（項目６５）
各要求はクロックレートを有し、
上記メモリアクセスは、上記要求の上記クロックレートとは異なるクロックレートで行われる、項目６４に記載の装置。
（項目６６）
上記要求の各々に対応するデータを、該要求のクロックレートでフィールドラインバッファに記憶する手段をさらに備える、項目６５に記載の装置。
（項目６７）
上記要求の各々をフィールドラインバッファに記憶する手段をさらに備える、項目６６に記載の装置。
（項目６８）
上記必要帯域幅は、上記要求のクロックレートに基づいて決定される、項目６６に記載の装置。
（項目６９）
上記フィールドラインバッファ手段から要求を読み出す手段と、読み出した上記要求を上記メモリ手段に、上記読み出した要求のクロックレートとは異なるクロックレートで供給する手段とをさらに備える、項目６８に記載の装置。
（項目７０）
各要求が直接上記メモリ手段にアクセスすることを妨げる手段をさらに備える、項目６４に記載の装置。
（項目７１）
各要求は、フィールドラインの時間間隔部分に対応する、項目６４に記載の装置。
（項目７２）
上記ビデオ信号要求のうちの一つに関連付けられたメモリ操作を、要求された上記メモリ操作に対応する時間間隔部分より大きい時間間隔部分で行う手段により、上記メモリアクセスを配分する手段をさらに備える、項目７１に記載の装置。